(57)【要約】【課題】首の支持力の弱い要介護者の頭部及び頚部を安定的に保持して吊り上げられるスリングシートを提供することを目的とする。【解決手段】本発明のスリングシート１０は、要介護者の最大と見積もられる体躯に合わせて上へ十分に長く形成された基布の上部に、要介護者の後頭部を基布の上部に沈み込まないように支える上下方向の大きさが７〜１５ｃｍである枕１６が基布の上部の上端部に取付位置変更不能に取り付けられ、要介護者の実際の体躯の大きさに合わせて枕１６の上下方向の位置調節が枕１６に基布の上部を巻き付けることにより行われ、スリングシート１０を吊り下げるための吊り帯１７、２１の二本を、枕１６の直ぐ両側方の基布に連結できるようにされている。【選択図】図１
2008036100.tif 000002
【特許請求の範囲】
【請求項１】
体躯の大きい要介護者の頭部に対応するように上へ十分に長く形成された基布の上部に、要介護者の後頭部を該基布の上部に沈み込まないように支える枕が取り付けられ、かつ、要介護者の実際の体躯の大きさに合わせて前記枕の上下方向の位置調節が可能とされたスリングシート。
【請求項２】
前記枕は前記基布の上部の上端部に取付位置変更不能に取り付けられ、前記枕の上下方向の位置調節は前記枕に前記基布の上部を巻き付けることにより行うように構成された請求項１記載のスリングシート。
【請求項３】
前記スリングシートを吊り下げるための吊り帯のうち二本を、前記枕の直ぐ両側方の基布に連結できるように構成した請求項２記載のスリングシート。
【請求項４】
前記吊り帯の二本を、前記枕の直ぐ両側方の基布に直接連結した請求項３記載のスリングシート。
【請求項５】
前記吊り帯の二本を、前記枕の直ぐ両側方の基布に取り付けた連結具に連結できるようにした請求項３記載のスリングシート。
【発明の詳細な説明】
【技術分野】
【０００１】
本発明は、病人、高齢弱者等の要介護者を吊り上げる際に使用するスリングシートに関するものである。
【背景技術】
【０００２】
従来、要介護者をベッド、車椅子、便座、風呂等の相互間で移動させるときに、要介護者の安全等を確保し、また介護者の負担を軽減するため、スリングシートが用いられている。このスリングシートには、図１０に示すような、要介護者の首より下を支えるいわゆるハーフタイプのスリングシート１００があり、これは手軽に使える利点はあるが、首の支持力の弱い要介護者には使用することができなかった（特許文献１）。
【０００３】
また、首の支持力の弱い要介護者に対応するため、スリングシートとは別体でスリングシートと同時に使用して頭部を釣支するものや、シート部を頭部の上方まで延伸して頭部を支持するいわゆるフルタイプのスリングシートもあった。
【特許文献１】特開２００１−８７３２４号公報
【発明の開示】
【発明が解決しようとする課題】
【０００４】
しかし、スリングシートと別体のものは、要介護者を吊り上げている途中で要介護者の頭部が外れてしまい、頭部の保持が急になくなることがあった。また、スリングシートを頭部の上方まで延伸したものは、頭部及び体幹を包むようにして吊り上げるため、要介護者の首が前方に折れ曲がってしまうことがあった。この折れ曲がりを回避するため、後頭部に当接する例えばタオルのような部材をスリングシートと要介護者との間に単に差し込んで介在させることもあったが、すぐに同部材がずれてしまい、頭部及び頚部を安定的に保持することができなかった。
【０００５】
そこで、首の支持力の弱い要介護者の頭部及び頚部を安定的に保持して吊り上げられるスリングシートを提供することを目的とする。
【課題を解決するための手段】
【０００６】
上記目的を達成するため、本発明のスリングシートは、体躯の大きい要介護者の頭部に対応するように上へ十分に長く形成された基布の上部に、要介護者の後頭部を該基布の上部に沈み込まないように支える枕が取り付けられ、かつ、要介護者の実際の体躯の大きさに合わせて前記枕の上下方向の位置調節が可能とされている。
【０００７】
本明細書において、「上」はスリングシート使用時に要介護者の頭部が位置する方を、「下」はスリングシート使用時に要介護者の脚部が位置する方を意味する。また、「表面」はスリングシート使用時に要介護者と接する面を、「裏面」はスリングシート使用時に要介護者と接しない面を意味する。また、「体躯の大きい要介護者」は、一般大多数の要介護者における体躯の相対的に大きい人を想定したものである。また、「後頭部」は、頭部の後側のみならず、頚部の後側までを含んでもよい。一般には、頭部及び頚部を安定的に保持して吊り上げるには、「後頭部」のうちでも、頭蓋骨下部にある乳様突起から第七頚椎までの間を支えることが好ましいとされており、本発明でもこの間を支えることが好ましい。
【０００８】
枕の上下方向の大きさは、特に限定されないが、５〜１８ｃｍであることが好ましく、より好ましくは７〜１５ｃｍである。５〜１８ｃｍの範囲を外れると、前記乳様突起から第七頚椎までの間を支えることが難しくなる傾向となる。また、後述するように、枕の上下方向の位置調節を枕に基布の上部を巻き付けることにより行う場合には、半巻きごとの調節ピッチが過大にならないように、枕の上下方向の大きさの上限を１５ｃｍにすることが好ましい。
【０００９】
枕の芯材の材質は、特に限定されないが、頭部及び頚部を安定的に保持して吊り上げられるよう、剛性と弾力性がバランスした発泡樹脂体や風船等を例示できる。発泡樹脂体の形態は、特に限定されないが、例えば所定形状に成形したもの、円筒体を扁平に賦形したもの等を例示できる。
【００１０】
風船の態様は特に限定はなく、後頭部との当接状態を考慮して内圧が調節できるものでもよく、小さな風船（エアセル）の集合体であってもよい。また、風船そのものが枕から容易に脱着できるものであってもよい。要介護者の入浴時に枕の芯材が風船であるスリングシートを用いることで、該風船の浮力により要介護者の頭部が浴槽内に水没することを防ぐ効果が得られる。
【００１１】
枕の取付態様と、枕の上下方向の位置調節の態様としては、特に限定はないが、以下のものを例示できる。
（ａ）枕は基布の上部の上端部に取付位置変更不能に取り付けられ、枕の上下方向の位置調節は枕に基布の上部を巻き付けることにより行うように構成された態様。
（ｂ）枕は基布の上部に取付位置変更可能に取り付けられ、枕の上下方向の位置調節は基布の上部への取付位置を変更することにより行うように構成された態様。
（ｃ）枕は基布の上部の上下方向の複数位置にそれぞれ取付位置変更不能に取り付けられた複数の風船状の枕であり、枕の上下方向の位置調節はいずれの枕を膨らますかにより行うように構成された態様。
【００１２】
介護用リフトの掛止部にスリングシートを連結させるための部材の態様としては特に限定はないが、スリングシートの外縁の補強帯等を延伸させたものや、スリングシートとは別体の帯状又は輪状のものを例示できる。
【００１３】
スリングシートを吊り下げるための吊り帯のうち二本は、基布のうち枕の近傍に連結できるように構成することが好ましい。特に、上記（ａ）のように巻き付ける場合には、スリングシートを吊り下げるための吊り帯の二本を、枕の直ぐ両側方の基布に連結できるように構成して、該二本を巻き付けの中心部に位置させることが好ましい。
【００１４】
この吊り帯の二本を「基布のうち枕の近傍に連結できるように構成する」態様としては、次のものを例示できる。
（ア）吊り帯の二本を、枕の直ぐ両側方の基布に直接連結する態様
この連結の仕方としては、吊り帯を縛りこんで枕に連結したり、枕に輪を設けそこに吊り帯を通して連結したり、枕の直ぐ両側方の基布に吊り帯を縫着したりすることなどを例示できる。
（イ）吊り帯の二本を、枕の直ぐ両側方の基布に取り付けた連結具に連結できるようにした態様
この連結具としては、バックル、ループ状のストラップ、ラダー等を例示できる。
【００１５】
枕の直ぐ両側方の基布に連結されている吊り帯を用いて枕を吊り上げる仕方としては、枕の直ぐ両側方の基布に連結されている吊り帯を直接介護用リフトの掛止部に掛止させてもよいし、枕の直ぐ両側方の基布に連結されている吊り帯を介護用リフトの掛止部にスリングシートを連結させるための部材に係合させてもよい。
【００１６】
枕の直ぐ両側方の基布に連結されている吊り帯が介護用リフトの掛止部にスリングシートを連結させるための部材に係合する方法としては、特に限定はないが、吊り帯の端に輪を設けこれを縛りこんで結着する方法や、吊り帯の端にフックを設けこれで掛止する方法等を例示できる。
【００１７】
要介護者の大腿部を吊り上げる方法としては、胴部と同じように側方から包み込むように吊り上げる方法でもよいし、大腿部に巻いて股間から吊り上げる方法でもよい。
【発明の効果】
【００１８】
本発明によれば、首の支持力の弱い要介護者の頭部及び頚部を安定的に保持して吊り上げられるスリングシートを提供することができる。
【発明を実施するための最良の形態】
【００１９】
スリングシートは、体躯の大きい要介護者の頭部に対応するように上へ十分に長く形成された基布の上部の上端部に、要介護者の後頭部を基布の上部に沈み込まないように支える上下方向の大きさが７〜１５ｃｍである枕が取付位置変更不能に取り付けられ、枕に基布の上部を巻き付けることにより、要介護者の実際の体躯の大きさに合わせて枕の上下方向の位置調節が行われるように構成されている。また、スリングシートを吊り下げるための吊り帯の二本を、枕の直ぐ両側方の基布に連結できるように構成されている。
【実施例１】
【００２０】
以下、本実施例を図面に基づいて説明する。図４、図５に示す実施例１のスリングシート１０は、要介護者の大腿部から背中を支えさらに体躯の大きい要介護者の頭部に対応するように上へ十分に長く形成された基布１１と、基布１１の上部の上端部に取付位置変更不能に取り付けられた、要介護者の後頭部を基布１１の上部に沈み込まないように支える枕１６とからなっている。
【００２１】
基布１１は、化学繊維製の一枚のメッシュ布地よりなり、上半部は上端にいくほど狭くなる台形状で、下半部は縦長の矩形状である。上端部を除く基布１１の裏面の外縁には補強帯１２が縫着されている。基布１１の左右の側端の中央及び下部にはストラップ１３、１４が補強帯１２に縫着されており、ストラップ１３、１４が縫着されている付近の補強帯１２は二重になり、二重になった補強帯１２の間には樹脂製の板（破線で示す）が挿入されている。また、基布１１の下端の表裏両面には、外面を化学繊維製のメッシュ布で覆われている発泡樹脂製のクッション２５が下辺に添って縫着されている。基布１１の裏面の幅方向中央には、スリングシート１０の中央を示すための布テープ１５が上端から下端まで縫着されている。
【００２２】
基布１１の上端部は裏面方向に折り返され、端辺を基布１１に縫着することで筒状にされている。枕１６は、上下方向の大きさが約１０〜１２ｃｍ、横幅が３５〜５０ｃｍの発泡樹脂よりなるものであり、前記筒状の基布１１中に挿入して両側端を縫合することで取付位置変更不能に取り付けられている。そして、要介護者の実際の体躯の大きさに合わせて、枕１６をスリングシート裏面側に折り返し、該枕１６に基布１１を巻き付けることにより、枕１６の上下方向の位置を調節できるようになっている。枕１６の直ぐ両側方の基布１１には連結具としてのループ状のストラップ１７が縫着されている。
【００２３】
介護用リフト９０の掛止部９１にスリングシート１０を連結させるための吊り帯としては、計４本の調節帯１８、１９と、計２本の首部調節帯２１が用いられる。基布１１の左右両端の中央及び下部に縫着されている各ストラップ１３、１４には、調節帯１８、１９が縛りこんで結着されている。
【００２４】
図５（ｂ）に示すように、調節帯１８、１９は帯紐２４の両端を縫合してなる輪と、該帯紐２４に掛け渡された三本の中間帯紐２０からなる。調節帯１８、１９について更に詳述すると、調節帯１８、１９は三本の中間帯紐２０が掛け渡されることにより梯子状になり、ストラップ１３、１４に結着される側にあたる調節帯１８、１９の基端には、ストラップ１３、１４に調節帯１８、１９を縛りこんだとき、結着点で調節帯１８、１９に捩れが生じるのを防止するため、予め帯紐に半回転の捩りが加えられている。各中間帯紐２０の両端が帯紐２４に縫着されることにより、各中間帯紐２０は調節帯１８、１９に掛け渡されている。ただし、本実施例においては各調節帯１８、１９に掛け渡された中間帯紐２０の数は共に三本ずつであるが、調節帯の長さ等を考慮して、各調節帯１８、１９に掛け渡される中間帯紐２０の数を増減してもよい。また、基布１１の左右両端の中央に縫着されているストラップ１３に結着している調節帯１８と、基布１１の左右両端の下部に縫着されているストラップ１４に結着している調節帯１９とに掛け渡される、中間帯紐２０の数が異なっていてもよい。
【００２５】
枕１６の左右両端の中央部に縫着されているストラップ１７には、基布側端のストラップ１３、１４に結着している調節帯１８、１９に係合して枕１６を支持するための首部調節帯２１が結着されている。
【００２６】
図５（ａ）に示すように、首部調節帯２１は帯紐からなり、ストラップ１７に結着していない方の端にあたる先端には二つの三角形の頂点が合わさった形状の金属製のフック２２が取着されている。首部調節帯２１の中央には四角枠内に２本の橋がかけられた形状のクリップ２３が装着され、該帯２１の先端でない方の端を本クリップ２３に通すことで基端に輪ができ、この輪によって枕１６の左右両端の中央部のストラップ１７に本首部調節帯２１が結着している。
【００２７】
本実施例のスリングシート１０の使用状態（吊り上げ状態）を、図１〜図３に基づいて説明する。
【００２８】
図１に示すように、基布側端中央及び下端に結着している調節帯１８、１９の先端を介護用リフト９０の掛止部９１に掛止し、要介護者の背中から大腿部にかけてを本実施例のスリングシート１０で包み込むようにして使用する。なお、本図において、各調節帯１８、１９は最先端を介護用リフト９０の掛止部９１に掛止しているが、吊り上げ時の要介護者の姿勢を考慮して、各調節帯１８、１９が梯子状になるよう設けられている中間帯紐２０を介護用リフト９０の掛止部９１に掛止して使用してもよい。
【００２９】
図２（ａ）に示すように、要介護者の実際の体躯が小さい場合には、図３に（ａ）から（ｃ）への変化で示すように、枕１６をスリングシート裏面側に折り返し、該枕１６に基布１１の基布を巻き付けて、枕１６の上下方向の位置を後頭部に当接するよう低くする。また、図２（ｂ）に示すように、要介護者の実際の体躯が大きい場合には、逆に前記基布１１の巻きを解いてゆき、枕１６の上下方向の位置を後頭部に当接するよう高くする。なお、前記基布１１の巻きを完全に解いて延ばし、枕１６が要介護者の後頭部に当接しないようにして、従来のフルタイプのスリングシートのような利用の仕方もできる。
【００３０】
なお、前記のような基布１１の巻き付けに代えて、図６に示すように、基布１１の上部に上下方向に長い面ファスナーの一方５１を設け、枕１６の裏面に面ファスナーの他方５２を設け、面ファスナー５１に適宜高さに面ファスナー５２を着脱可能（取付位置変更可能）に取り付けることにより、枕１６の上下方向の位置を調節できるようにしてもよい。
【００３１】
図１、図２に示すように、枕１６を支えるため、枕１６の左右両端の中央部のストラップ１７に結着している首部調節帯２１の先端に取着しているフック２２を基布中央のストラップ１３に結着している調節帯１８に掛止している。また、図２においては、要介護者の体躯の違いにより調節帯１８にフック２２を掛止している位置が違う。なお、図１、図２においては、フック２２を基布中央のストラップ１３に結着している調節帯１８に掛止しているが、吊り上げ時の要介護者の姿勢を考慮してフック２２を基布下部のストラップ１４に結着している調節帯１９に掛止して使用してもよい。さらに、枕１６を直接介護用リフト９０の掛止部９１で支えるため首部調節帯２１とは別の帯紐（図示略）を枕１６の左右両端の中央部のストラップ１７に通し、該帯紐の端を調節帯１９に掛止するようにしてもよい。
【００３２】
本実施例によれば、以下の効果が得られる。
（ａ）基布１１に取り付けられた枕１６が要介護者の後頭部に当接することで、吊り上げ時の要介護者の頭部及び頚部の安定的な保持を図ることができる。
（ｂ）要介護者の体躯に合わせ枕１６に基布１１を巻き付けて枕１６の上下位置を調節することで、体躯の大きい要介護者でも体躯の小さい要介護者でも、その後頭部に枕１６をフィットさせることができ、また、巻き付けにより基布１１の遊びが無くなるので要介護者の後頭部から外れることもない。
（ｃ）首部調節帯２１に装着されている前記形状のクリップ２３によって首部調節帯２１の長さを調節することで、要介護者の頭部及び頚部の状態を調節できる。
（ｄ）介護用リフト９０の掛止部９１に掛止するところを調節できる梯子状の調節帯１８、１９を用いてスリングシート１０を吊り上げるため、要介護者の姿勢を調節できる。
（ｅ）首部調節帯２１の先端のフックを梯子状の調節帯１８、１９に掛止することで、枕１６の角度調節ができる。
（ｆ）スリングシート１０に縫着された各ストラップ１３、１４に調節帯１８、１９を縛りこんで結着することで、スリングシート１０の下端等の片持ちが防止できる。
【実施例２】
【００３３】
図８、図９に示す実施例２のスリングシート３０は、基布３１がその下端で二股に分かれて要介護者の大腿部を包む脚受け部３８となっている点などにおいて実施例１と相違するものであり、実施例１と同様の枕３６を備えている。
【００３４】
基布３１は、化学繊維製の一枚の織布よりなり、上部は上端にいくほど狭くなる台形状で、下部は横広の略矩形状である。基布３１の裏面の幅方向中央にはスリングシート３０の中央を示すための布テープ３５が上端から下端まで縫着されている。
【００３５】
脚受け部３８は、二股に分かれた両片とも下端にいくほど狭くなっている。脚受け部３８の裏面には外面を基布３１等と同じ織布で覆われてクッションが縫着されている。
【００３６】
基布３１及び脚受け部３８の外縁には補強帯３２が縫着されており、基布３１の下部矩形状の両上部角及び脚受け部３６の両下端では補強帯３２が基布のないところまで延伸されストラップ３３、３４が形成されている。
【００３７】
枕３６は、実施例１と同様にして、基布３１の上端部に取り付けられている。枕３６の左右両端の中央部には首部調節帯４１を取着するストラップ３７が縫着されている。図９（ｂ）に示すように、枕３６の左右両端の中央部に縫着されているストラップ３７の先端には、首部調節帯４１に装着されているバックル挿入部４３を嵌合させるためのバックル受け部４２が取着されている。
【００３８】
基布３１及び脚受け部３８に設けられたストラップ３３、３４の先端には両端をストラップ３３、３４に縫着している三本の中間帯紐４０が掛け渡され、これによりストラップ３３、３４が梯子状になっている。
【００３９】
図９(ａ)に示すように、首部調節帯４１は帯紐からなり、首部調節帯４１の一端には縛りこみ時の結着点での捩れを防止するための半回転の捩りが加えられている輪が形成され、中央には枕３６の中央部に縫着されているストラップ３７の先端に取着されているバックル４２に嵌合するバックル４３が装着されており、他端には該バックル４３が帯紐から抜脱されるのを防止するため帯紐が二重になるように縫製されている。また、本バックル４３の帯紐を通す箇所は四角枠内に１本の橋がかけられた形状になっており、これによって首部調節帯４１の長さを調節することができる。
【００４０】
本実施例のスリングシート３０の使用状態（吊り上げ状態）を、図７に基づいて説明する。
【００４１】
基布３１の下部矩形状の両上部角及び脚受け部３８の両下端から延伸しているストラップ３３、３４の先端を介護用リフト９０の掛止部９１に掛止し、要介護者の背中から大腿部にかけてを本実施例のスリングシート３０で包み込むようにして使用する。ただし、大腿部に巻いて股間から吊り上げるため、脚受け部の両下端から延伸しているストラップ３４は、要介護者の前方で互いに交差するようにして左右反対側の介護用リフト９０の掛止部９１に掛止されている。なお、本図においては、各ストラップ３３、３４の最先端を介護用リフト９０の掛止部９１に掛止されているが、吊り上げ時の要介護者の姿勢を考慮して各ストラップ３３、３４が梯子状になるよう設けられている中間帯紐４０を介護用リフト９０の掛止部９１に掛止して使用してもよい。
【００４２】
枕３６に形成された枕３６が要介護者の体躯に合わせ要介護者の後頭部に当接して要介護者の頭部及び頚椎を保持できるよう、枕３６をスリングシート３０の裏面側に折り返して枕３６に基布３１の基布を巻き付けて枕３６の位置を調節している。
【００４３】
枕３６を支えるため、首部調節帯４１の一端に形成されている輪を縛りこむことで基布のストラップ３３に首部調節帯４１を結着し、バックル４３は枕３６のストラップ３７の先端に取着されているバックル４２に嵌合している。
【００４４】
本実施例２によっても、実施例１と同様の効果（ａ）〜（ｅ）が得られる。各効果において実施例１と異なるのは、（ｃ）ではバックル４３によって首部調節帯４１の長さを調節する点、（ｄ）では調節できる梯子状のストラップ３３、３４を用いる点、（ｅ）では首部調節帯４１の一端に形成されている輪を縛りこんで首部調節帯４１を梯子状のストラップ３３、３４に結着する点である。さらに、本実施例２によれば、次の効果（ｇ）が得られる。
（ｆ）脚受け部３８の両下端から延伸しているストラップ３４を要介護者の前方で互いに交差するようにして左右反対側の介護用リフト９０の掛止部９１に引っ掛けることで、要介護者が吊り上げ中にスリングシート３０から脱落するのを防止できる。
【００４５】
なお、本発明は前記実施例に限定されるものではなく、発明の趣旨から逸脱しない範囲で各部の構成を適宜変更して実施することもできる。
【図面の簡単な説明】
【００４６】
【図１】本発明に係る実施例１のスリングシートの使用状態を示す斜視図である。
【図２】同スリングシートの要介護者の体躯の違いによる使用状態の違いを示す部分斜視図である。
【図３】同スリングシートの枕の位置を調節している状態を示す部分斜視図である。
【図４】同スリングシートの裏面側の平面図である。
【図５】同スリングシートの部材を示す平面図である。
【図６】同スリングシートの別態様の平面図である。
【図７】本発明に係る実施例２のスリングシートの使用状態を示す斜視図である。
【図８】同スリングシートの裏面側の平面図である。
【図９】同スリングシートの部材を示す平面図である。
【図１０】従来のスリングシートの使用状態を示す斜視図である。
【符号の説明】
【００４７】
１０  スリングシート
１６  枕(実施例１）
１７  ストラップ
２１  首部調節帯
３０  スリングシート
３６  枕(実施例２）
３７  ストラップ
４１  首部調節帯
４２  バックル（枕側）
４３  バックル（首部調節帯側）
【図１】
2008036100.tif 000003
【図２】
2008036100.tif 000004
【図３】
2008036100.tif 000005
【図４】
2008036100.tif 000006
【図５】
2008036100.tif 000007
【図６】
2008036100.tif 000008
【図７】
2008036100.tif 000009
【図８】
2008036100.tif 000010
【図９】
2008036100.tif 000011
【図１０】
2008036100.tif 000012